(57)【特許請求の範囲】
【請求項１】
試料の拡散反射スペクトルを測定する際に用いられる試料ホルダにおいて、
試料が均一に分散して保持されるように、複数個の同一微小溝を均一に分布する試料保持面を含み、該複数個の微小溝により試料が均一に分散された試料保持面へ入射した光を、該複数個の微小溝内の試料にて同時に、測定に必要な拡散反射光とすることを特徴とする試料ホルダ。
【請求項２】
請求項１記載の試料ホルダにおいて、少なくとも前記試料保持面は、赤外線を吸収しないことを特徴とする試料ホルダ。
【請求項３】
試料が均一に分散して保持されるように、複数個の同一微小溝を均一に分布する試料保持面を含み、該複数個の微小溝により試料が均一に分散された試料保持面へ入射した光を、該複数個の微小溝内の試料にて同時に、測定に必要な拡散反射光とする試料ホルダと、
前記試料ホルダにより保持された試料からの拡散反射光を分光分析する分析手段と、
前記試料ホルダが少なくとも二以上載置され、該試料ホルダを順次、前記分析手段へ搬送するオートサンプラと、
を備えたことを特徴とする測定装置。
【発明の詳細な説明】
【０００１】
【発明の属する技術分野】
本発明は、試料ホルダ及びそれを用いた測定装置、特に試料の保持機構の改良に関する。
【０００２】
【従来の技術】
従来より、例えば食品をはじめ医薬品、繊維、化成品、鉱物、土壌等の成分分析等のため、近赤外法を用いた分析が注目されている。
図１には、このような分析を行うための赤外分光器に拡散反射スペクトル測定用の付属装置を取り付けた測定装置が示されている。
【０００３】
同図において、このような測定装置１０は、光源１２よりの光は、試料照射部１４により試料ホルダ１６の試料に照射される。試料よりの拡散反射光Ｌ２は、反射鏡１８により集光され、検出器２０により検出される。検出器２０で得た信号は、信号処理部２２により処理され、スペクトルデータとされる。このデータ処理部２２は、未知試料のスペクトルデータより、検量線作成用試料より予め作成された検量線により成分値を算出する。
【０００４】
以上のように構成された測定装置１０により、試料ホルダ１６に載置された試料の成分値を得ることができる。
ところで、赤外分析での拡散反射法では、拡散反射測定の際に正反射光が混入すると、検量線が曲がってしまい、スペクトルに歪みが生じてしまう。
【０００５】
このため、正反射光があまり大きくならないよう、通常、試料をＫＢｒ結晶の粉体で希釈していた。そして、このように希釈したものを、下記のように試料ホルダ１６に載置していた。
たとえば、図２に示すように、ＫＢｒ２６で希釈した試料２４を、へら等を用い、試料ホルダ１６である試料容器内に擦り切り一杯に充填していた。
また、試料ホルダには、サンドブラスト測定法に用いられるものがあるが、これは、接着剤が一面に塗布された試料保持面に、砂を無造作にばらまいて作られている。
【０００６】
【発明が解決しようとする課題】
ところで、赤外分析での拡散反射法では、前述のように正反射光があまり大きくならないように殆どの試料に対しては希釈が必要であった。
しかしながら、触媒反応のように希釈によって効果が変化する場合や、試料を回収したい等の場合には、試料を希釈せずそのまま測定しなければならず、正反射光の影響によりスペクトルに歪みが生じてしまう。
【０００７】
例えば、図３中、ｉは、試料であるアスコルビン酸をＫＢｒで希釈した場合のスペクトルを、波数区間６５０ｃｍ−１〜１８８１．７１ｃｍ−１で示したものである。
かかる場合は、正反射光の影響が少ないため、ピーク波数とその強度が試料であるアスコルビン酸の特性を正確に反映している。
【０００８】
これに対し、図３中、ｉｉは、アスコルビン酸を希釈せず、そのまま充填した場合のスペクトルを示したものである。
かかる場合は、正反射光の影響を受けるため、例えば波数区間Ａ，Ｂ，Ｃ及びＤでのピーク波数とその強度が、同図ｉに示すスペクトルのピーク波数より大幅にずれていることが理解される。
【０００９】
また、図４中、ｉは、試料であるフェナセチンをＫＢｒで希釈した場合のスペクトルを、波長区間６５０ｃｍ−１〜１７５１．０２ｃｍ−１で示したものである。 かかる場合は、正反射光の影響が少ないため、ピーク波数およびその強度が試料であるフェナセチンの特性を正確に反映している。
これに対し、図４中、ｉｉは、フェナセチンを希釈せず、そのまま充填した場合のスペクトルを示したものである。
【００１０】
かかる場合は、正反射光の影響を受けるため、例えば波長区間Ｅ，Ｆ及びＧでのピーク波数が、同図ｉに示すスペクトルのピーク波数より大幅にずれてしまう。
そこで、従来、希釈できない触媒関係の試料については、このようなスペクトル変化を生じさせる要因である正反射光を除去するため、拡散反射測定装置１０の反射鏡１８を傾けることも考えられるが、反射鏡１８を傾けたのでは、逆に光学系のエネルギが大幅に減少してしまい、検出器２０に必要な拡散反射光Ｌ２を十分に集光できず、光利用効率が悪くなってしまう。
【００１１】
また、一般に、測定装置１０では、製造コスト削減の観点から低感度の光検出器２０が用いられており、このような光検出器２０でも、通常のスペクトルを得るのであれば十分である。
【００１２】
しかしながら、光検出器２０に必要な拡散反射光Ｌ２を十分に得ることができないと、ＭＣＴ（水銀カドミウムテルル）等の高感度光検出器が必要となるが、拡散反射スペクトルの測定のためだけに、高価な高感度光検出器を設けたのでは、製造コストを上昇させてしまう。
【００１３】
このように、赤外光や近赤外光による拡散反射分光法を用いた分析は、食品分野のみならず様々な分野での成分分析法として期待されており、試料を希釈せず、測定をしなければならない場合が多いにも拘わらず、正反射光の影響を低減し、かつ、光検出器２０に必要な拡散反射光Ｌ２を十分に得るための適切な技術が存在しなかったため、この種の分野では、かかる技術の開発が強く望まれていた。
【００１４】
また、前記サンドブラスト測定法に用いられる試料ホルダでは、試料保持面に砂を固定するために、赤外線を吸収する接着剤を用いているので、赤外領域での測定を適正に行えないおそれが十分にあった。
【００１５】
本発明は、前記従来技術の課題に鑑みなされたものであり、その目的は、測定に悪影響を及ぼす原因となる、例えば正反射光、赤外線吸収などを低減すると共に、測定に必要な、試料からの拡散反射光を十分に得ることができる試料ホルダ及びそれを用いた測定装置を提供することにある。
【００１６】
【課題を解決するための手段】
前記課題について本発明者らが鋭意検討を重ねた結果、試料保持面にて試料を保持させるための微少溝を、複数個分布させることにより、試料を希釈せずそのまま充填した場合であっても、各微少溝の山部分と谷部分がＫＢｒ等と同様の役割を果たし、さらに個々の微少溝で試料をしっかりと保持できることを見い出した。
【００１７】
すなわち、このような複数個の微小溝を設けることにより、ＫＢｒで希釈した場合と同様に、試料を試料保持面で良好に分散させることができる。これにより、入射光を複数個の微小溝内の試料にて十分に拡散反射させることができるので、スペクトル変化に悪影響を及ぼす原因となる正反射光を低減すると共に、測定に必要な、試料からの拡散反射光を十分に得ることができることを見出した。
【００１８】
さらに、試料を保持するのに個々の微小溝を用いることにより、試料をしっかりと保持できることを見出し、本発明を完成するに至った。
そこで、前記目的を達成するために、本発明に係る試料ホルダは、試料よりの拡散反射スペクトルを測定する際に用いられる試料ホルダにおいて、試料が均一に分散して保持されるように、複数個の同一微小溝を均一に分布する試料保持面を含み、該複数個の微小溝により試料が均一に分散された試料保持面へ入射した光を、該複数個の微小溝内の試料にて同時に、測定に必要な拡散反射光とすることを特徴とする。
【００１９】
ここにいう微小溝とは、試料を保持するためのエリアが個々に存在するもの、すなわちそれを数えることができるものをいい、例えばサンドブラスト測定法に用いられる従来の試料ホルダのように、試料保持面上の砂と砂の単なる隙間の部分などは含まない。また、微小溝の山頂部分が、試料保持面の基準となる位置高さより、上に位置しても、又は同じもしくは下に位置してもよい。
【００２０】
また、ここにいう試料保持面へ入射した光を複数個の微小溝内の試料にて測定に必要な反射光とすることとは、測定の際に、光を試料保持面の一つの微小溝の試料に入射させて、その拡散反射光を得るものを含まず、光を試料保持面のほぼ全面に亘って複数個の微小溝の試料に入射させて、これらの拡散反射光を測定するものをいう。
【００２１】
なお、前記試料ホルダにおいて、少なくとも前記試料保持面は、赤外線を吸収しないことが好適である。たとえば、赤外線を吸収しない金属製のヤスリ、ＬＣ（液体クロマトグラフィ）のステンレス焼結フィルタ及び金属製ブラシの先端部分などを用いることができる。
【００２２】
また、前記目的を達成するために、本発明に係る測定装置は、前記試料ホルダと、分析手段と、オートサンプラと、を備えたことを特徴とする。
ここで、前記分析手段は、前記試料ホルダにより保持された試料からの拡散反射光を分光分析する。
また、前記オートサンプラは、前記試料ホルダが少なくとも二以上載置され、該試料ホルダを順次、前記分析手段へ搬送する。
【００２３】
【発明の実施形態】
以下、図面に基づき本発明の好適な実施形態を説明する。
図５（ａ）には、本発明の一実施形態に係る測定装置の概略構成が示されている。
同図において測定装置本体１１０と、制御手段１３０と、標準データ格納手段１３２を含む。
【００２４】
ここで、前記測定装置本体１１０は、たとえば赤外分光器に、拡散反射スペクトル測定用の付属装置である、例えば反射鏡などを設けたものよりなり、その試料室１２９内にセットされた試料ホルダの試料からの拡散反射光を分光分析する。
また、前記制御手段１３０は、たとえばＣＰＵよりなり、測定装置本体１１０で得た測定データと、最も近似する標準データを、データ格納手段１３２より検索して、試料の物質名の特定を行っている。
【００２５】
また、前記標準データ格納手段１３２は、たとえば、ハードディスクよりなり、前記測定装置本体１１０を用いて物質名既知の標準試料について拡散反射測定を行った際の標準データを格納している。
また、本実施形態において、測定装置本体１１０の試料室１２９内には、図５（ｂ）に示すように、分析手段１３３に、オートサンプラ１３４が設けられている。
【００２６】
ここで、前記オートサンプラ１３４は、その駆動回路１３６と前記制御手段１３０により、試料を保持した複数の試料ホルダを、順次一つづつ、前記試料室１２９内の分析手段１３３の所定の位置へ自動搬送するように制御している。
本実施形態においては、前記オートサンプラ１３４は、たとえば図６に示すように、試料を保持した試料ホルダを、複数個セット可能な回転体１３８を含む。
【００２７】
この回転体１３８は、その軸部分１４０を中心に、時計周りまたは反時計周りに回転して試料ホルダ１１６を、順次分析手段１３３へ自動搬送する。
以上のように構成された測定装置１１０により、オートサンプラ１３４により試料ホルダを順次、分析手段１３３へ自動的に搬送することができるので、試料の連続測定を自動的に行うことができる。
【００２８】
また、本発明において特徴的なことは、試料をしっかりと保持するための微小溝を複数個分布する試料保持面を含み、該試料保持面へ入射した光を、これらの微小溝内の試料にて、測定に必要な拡散反射光としたことである。
このために本実施形態においては、つぎに示すような試料ホルダを用いることとした。
【００２９】
図７（ａ）には、本発明の一実施形態に係る試料ホルダの概略構成が示されいる。
なお、前記図２と対応する部分には、符号１００を加えて示し説明を省略する。
同図に示す試料ホルダ１１６は、本体１１６ａと、本体１１６ａに設けられた試料保持面１１６ｂを備える。
【００３０】
前記本体１１６ａは、例えば赤外線を吸収しない金属製の円柱体よりなり、これが測定の際は試料の背景（バックグラウンド）となる。
前記試料保持面１１６ｂには、試料１２４を希釈せず、そのまま充填するための微小溝１１６ｃが均一に、本実施形態においては略メッシュ状に分布する。
これらの微小溝１１６ｃは、前記図１に示す試料照射部１１４よりの入射光Ｌ１を試料１２４で十分に拡散反射させ、前記図１に示す検出器２０に必要な拡散反射光Ｌ２とする。
【００３１】
なお、本実施形態において、これらの微小溝１１６ｃの山頂付近の内寸は、試料１２４をＫＢｒ等で希釈した場合のように、試料１２４を均一に分散させ、また、これらの微小溝１１６ｃにより入射光Ｌ２を試料１２４で十分に拡散反射させるため、さらに個々の微小溝で試料をしっかりと保持させることを、試料の種類ごとに考慮して、微小溝の山頂付近の内寸を、たとえば図７（ｂ）において（縦（Ａ）×横（Ｂ））を適宜変更することが好ましい。
【００３２】
本実施形態に係る試料ホルダ１１６は、概略以上のように構成され、以下にその作用について説明する。
まず、試料１２４の充填作業を行う。
すなわち、本実施形態においては、図８に示すように試料１２４を希釈せず、そのまま試料ホルダ１１６の微小溝１１６ｃにへら等で塗布し、擦り切り一杯にする。すると、試料１２４は、浅い各微小溝１１６ｃ（深さ（Ｃ））の先端部１１６ｄまで試料１２４が均一に充填される。
【００３３】
ここで、試料１２４は、試料ホルダ１１６に、正反射光を大幅に低減することができるように、浅くかつ均一に充填することができる。
また、これらの微小溝１１６ｃは、試料保持面１１６ｂに均一に分布しているため、試料１２４をＫＢｒ等で希釈せず、そのまま試料ホルダ１１６に充填しても、これらの微小溝１１６ｃの山部分１１６ｅと谷部分がＫＢｒ等と同様の役割を果たし、ＫＢｒで希釈した場合と同様に、試料１２４を適度にかつ均一に分散させることができるので、スペクトル変化に影響を及ぼす要因である正反射光の発生を低減することができる。
【００３４】
つぎに、前述のようにして試料１２４が充填された試料ホルダ１１６を、前記測定装置１１０にセットする。
すなわち、試料照射部からの被測定光が、これらの微小溝内の試料１２４に照射されるように試料保持面１１６ｂを入射側に向けて試料ホルダ１１６を配置する。
【００３５】
ここで、測定の際は、図９に示すように、入射光Ｌ１が試料ホルダ１１６の試料１２４に照射されるが、入射光Ｌ１は、これらの微小溝１１６ｃにより試料１２４で拡散反射を繰り返し、前記測定装置の検出器に必要な拡散反射光とされる。
【００３６】
このように本実施形態に係る試料ホルダ１１６によれば、試料１２４を希釈せず、そのまま試料ホルダ１１６に充填した場合であっても、入射光Ｌ１の大部分は、これらの微小溝１１６ｃにより試料１２４で十分に拡散反射されるため、スペクトル変化に影響を及ぼす要因である、正反射光の発生を大幅に低減し、かつ、前記測定装置の検出器に必要な拡散反射光Ｌ２を十分に得ることができる。
【００３７】
図１０には、本実施形態に係る試料ホルダ１１６に、試料であるアスコルビン酸をＫＢｒで希釈したものを載置した場合と、アスコルビン酸を希釈せずそのまま充填した場合との赤外スペクトルの比較結果が示されている。
同図より理解されるように、本実施形態に係る試料セルホルダ１１６によれば、同図ｉｉに示すアスコルビン酸を希釈せず充填した場合のピーク波数とその強度は、例えば波数区間Ｈ，Ｉ，Ｊ及びＫで、同図ｉに示すＫＢｒで希釈した場合のピーク波数とその強度とほぼ一致しており、従来の試料ホルダ１６に比較しスペクトル精度の向上を図ることができた。
【００３８】
図１１には、本実施形態に係る試料ホルダ１１６に、試料であるフェナセチンをＫＢｒで希釈したものを載置した場合と、希釈せずそのまま載置した場合との赤外スペクトルの比較結果が示されている。
同図より理解されるように、本実施形態に係る試料ホルダ１１６によれば、同図ｉｉに示すフェナセチンを希釈せずに充填した場合のピーク波数とその強度は、波数区間Ｌ，Ｍ及びＮで、同図ｉに示すＫＢｒで希釈した場合のピーク波数とその強度とほぼ一致しており、従来の試料ホルダ１６に比較し、スペクトル精度の向上を図ることができた。
【００３９】
そして、これらの測定結果に大きな影響を及ぼす要因は、前述のように正反射光の影響をいかに低減することができるか、さらには拡散反射光を十分に得られるかにあるから、これらの図１０，１１に示すスペクトル精度の向上は、試料を希釈せず、試料ホルダに充填した場合であっても、本実施形態に係る試料ホルダ１１６によれば、従来の試料ホルダ１６に比較し、正反射光の影響を大幅に低減し、かつ、測定に必要な拡散反射光Ｌ２を十分に得ることができたことを意味する。
【００４０】
以上のように、本実施形態に係る試料ホルダ１１６によれば、試料保持面１１６ｂに均一に分布する複数個の微小溝１１６ｃに、試料１２４を充填することとしたので、試料１２４をＫＢｒで希釈せず、そのまま充填した場合であっても、各微小溝１１６ｃの山部分１１６ｅと谷部分がＫＢｒ等と同様の役割を果たすため、ＫＢｒで希釈した場合のように、試料１２４を適度にかつ均一に分散させることができるので、スペクトル変化に悪影響を及ぼす原因となる正反射光の発生を低減することができる。
【００４１】
しかも、試料ホルダ１１６への入射光Ｌ１の大部分は、これらの微小溝１１６ｃ内の試料１２４で十分に拡散反射されるため、スペクトル変化に影響を及ぼす要因である、正反射光の発生を大幅に低減するとともに、前記図１に示す検出器２０に必要な拡散反射光を十分に得ることができる。
これにより、試料１２４をＫＢｒ等で希釈する必要がなく、そのまま試料ホルダ１１６に充填することができるため、サンプリングが簡便となり、短時間で分析を行うことができる。
【００４２】
また、サンプリングにおいて試料１２４に他の物質を混入しないため、回収が容易となる。
また、試料１２４を希釈せず、そのまま試料ホルダ１１６に充填した場合であっても、ＫＢｒ等で希釈した場合のように正反射光の発生を低減することができるので、正反射光を外に出すためだけに、前記図１に示す反射鏡１８を傾ける必要もなく、光学系のエネルギを十分に得ることができる。
【００４３】
また、前記測定装置の検出器に必要な拡散反射光Ｌ２を十分に得ることができるため、従来のように高価な高感度光検出器を用いず、通常、測定装置１１０に既存の光検出器であるＴＧＳ（トリグリシン サルファイト）等の検出器を用いることができるため、拡散反射スペクトルを測定する際のコストの上昇を抑えることができる。
また、試料ホルダ１１６の本体１１６ａを金属としたため、加熱や洗浄が可能となった。
【００４４】
さらに、試料ホルダには、赤外線に対して不活性な金属のみを用いたため、従来のように、試料ホルダの作成時に、赤外線に対して活性な接着剤などの物質を用いたことによる測定精度の低下を防ぎ、赤外領域での測定を適正に行うことができる。
なお、本発明の試料ホルダとしては前記各構成に限定されるものでなく、発明の要旨の範囲内で種々の変形が可能である。
【００４５】
例えば、本実施形態においては、微小溝１１６ｃを略メッシュ状に設けた例について説明したが、試料１２４を良好に分散させ、かつ、入射光Ｌ１を十分に拡散反射することができるのであれば、他の配置でもよい。
また、本実施形態においては、本体１１６ａに円柱体を用いた円柱状試料ホルダの例について説明したが、これに限られるものでなく、各種形状の試料ホルダ、例えば図１３に示すように角柱体にも適用することができる。
【００４６】
ただし、図１３に示すように本体１１６ｂに、角型のものを適用する場合にも、前記円柱状試料ホルダと同様に、微小溝１１６ｃの深さ（Ｃ）は、測定を適正に行うために、浅くすることが好ましい。
また、本実施形態にかかる試料ホルダに試料を充填する方法には、たとえば、つぎに示す方法がある。
【００４７】
第一に、すでに粉体の試料を、本実施形態に係る試料ホルダで擦り、粉体試料を、試料保持面の各微小溝に保持させる方法がある。
第二に、塊の試料を、本実施形態に係る試料ホルダで削り取り、試料片を試料保持面の微小溝に保持させる方法がある。
そして、いずれの場合も、試料は、本実施形態に係る試料ホルダの各微小溝に入り込み、しっかりと保持されているので、たとえ試料ホルダの試料保持面を下にした場合であっても、本実施形態に係る試料ホルダより試料が容易にこぼれ落ちることはない。
【００４８】
この結果、オートサンプラにより試料ホルダを試料室に搬送する際に、多少の振動があっても、試料は、試料ホルダよりこぼれ落ちないので、本実施形態に係る試料ホルダを用いることにより、従来極めて困難であった試料の自動搬送及び自動測定が可能となった。
また、前記実施形態においては、オートサンプラの一部品である回転体の上面に、試料ホルダを試料保持面を上にして設けた例について説明したが、これに限られるものでなく、回転体の下面に試料保持面を下にして設けることも可能である。これにより、装置を設計する際に自由度が向上している。
【００４９】
さらに、本実施形態においては、保持させる試料の種類に応じて微小溝のメッシュサイズを適宜考慮した試料ホルダを用いることが好ましい。
たとえば、アスコルビン酸などの医薬品等のように、すでに粉体のものには、微小溝の山頂付近の寸法は、０．４ｍｍ×０．４ｍｍ程度の目が細かいものを、プラスチック等のように比較的硬い塊のもので、比較的強い力を用いないと削り取れないタイプのものには、微小溝の山頂付近の寸法は、０．８ｍｍ×０．８ｍｍ程度の粗いものを、それぞれ用いるのである。
【００５０】
【発明の効果】
以上説明したように、本発明に係る試料ホルダによれば、試料保持面に、試料を保持するための微小溝を複数個分布することとしたので、試料をＫＢｒ等で希釈せずそのまま試料ホルダに充填した場合であっても、各微小溝の山部分と谷部分がＫＢｒ等と同様の役割を果たすため、ＫＢｒ等で希釈した場合と同様に試料を良好に分散させることができる。
しかも、本実施形態に係る試料ホルダの試料保持面へ入射した光の大部分は、複数個の微小溝により試料で十分に拡散反射されるため、ＫＢｒで希釈した場合と同様に、スペクトル変化に悪影響を及ぼす原因となる正反射光を大幅に低減し、かつ、測定に必要な、試料からの拡散反射光を十分に得ることができる。
これにより、一般の赤外分光器に既存の安価な低感度光検出器を用いた場合であっても、拡散反射光を十分に検出することができるため、拡散反射測定のためだけに高価な高感度光検出器等を設けることを回避し、製造コストの上昇を抑えることができる。
さらに、試料を保持するのに、複数個の微小溝を用いることとしたので、例えばサンドブラスト測定法に用いられる従来の試料ホルダのように、試料保持面上の砂と砂の隙間に、試料を単に載せるだけのものに比較し、複数個の微小溝で試料をしっかりと保持することができる。
なお、前記試料ホルダにおいて、少なくとも試料保持面は、赤外線を吸収しないものを用いることにより、赤外領域での測定を適正に行うことができる。
また、本発明に係る測定装置によれば、前記試料ホルダを用いることにより、複数個の微小溝により試料をしっかりと保持することができるので、従来極めて困難であった、オートサンプラによる試料ホルダの分析手段への自動搬送を行うことができる。これにより、分析手段による異なる試料の連続測定を自動的に行うことができる。
【図面の簡単な説明】
【図１】  通常の赤外分光器に拡散反射スペクトル測定のための反射鏡を設けた例の説明図である。
【図２】  従来の試料ホルダの説明図である。
【図３】  図２に示した試料ホルダにアスコルビン酸を希釈せずそのまま充填した場合とＫＢｒで希釈したものを充填した場合の赤外スペクトルの比較説明図である。
【図４】  図２に示した試料ホルダにフェナセチンを希釈せずそのまま充填した場合とＫＢｒで希釈したものを充填した場合の赤外スペクトルの比較説明図である。
【図５】  本発明の一実施形態に係る測定装置の概略構成の説明図である。
【図６】  図５に示した測定装置のオートサンプラの概略構成の説明図である。
【図７】  本発明の一実施形態に係る試料ホルダの説明図である。
【図８】  図７に示した試料ホルダの微小溝の説明図である。
【図９】  図７に示した試料ホルダの微小溝による光拡散反射作用の説明図である。
【図１０】  図７に示した試料ホルダにアスコルビン酸を希釈せずそのまま充填した場合とＫＢｒで希釈したものを用いた場合の赤外スペクトルの比較図である。
【図１１】  図７に示した試料ホルダにフェナセチンを希釈せずそのまま充填した場合とＫＢｒで希釈したものを充填した場合の赤外スペクトルの比較図である。
【図１２】  図７に示した試料ホルダに角型本体を適用した例の説明図である。
【符号の説明】
１１６  試料ホルダ
１１６ａ  本体
１１６ｂ  試料保持面
１１６ｃ  微小溝
１２４  試料
Ｌ１  入射光
Ｌ２  拡散反射光
【図１】
0003933298.tif 000002
【図２】
0003933298.tif 000003
【図３】
0003933298.tif 000004
【図４】
0003933298.tif 000005
【図５】
0003933298.tif 000006
【図６】
0003933298.tif 000007
【図７】
0003933298.tif 000008
【図８】
0003933298.tif 000009
【図９】
0003933298.tif 000010
【図１０】
0003933298.tif 000011
【図１１】
0003933298.tif 000012
【図１２】
0003933298.tif 000013